(57)【特許請求の範囲】
【請求項１】
連結片部を備えた取付杆と、長孔を有し、上記取付杆の連結片部に上記長孔を重合させて上記取付杆の長手方向にスライド可能に連結した樋支持具本体と、この樋支持具本体を上記取付杆に圧接固定するための縱方向へ回転するロックレバーとを備えた雨樋支持具において、
上記長孔は、長手方向の両側面が凸部と凹部が連続する波状とされるとともに、上記ロックレバーは、先端に下方に向けて延びる帯板状の係止部を備えた構造とされ、上記樋支持具本体を上記取付杆に圧接固定したときには、上記係止部の両側端が上記長孔の両側面の凹部に嵌まり込む構造としたことを特徴とする雨樋支持具。
【請求項２】
請求項１において、
上記ロックレバー先端の係止部は、さらにその下端を内方上向きに折返した抜け止め片部を備えている雨樋支持具。
【発明の詳細な説明】
【０００１】
【発明の属する技術分野】
本発明は、建造物等の軒先付近に取付けられる雨樋支持具に関し、詳しくは、軒先等に固定される取付杆とスライド可能に連結した樋支持具本体を、縱方向へ回転するロックレバーで所望の位置に圧接固定できる雨樋支持具に関する。
【０００２】
【従来の技術】
図５は、従来の雨樋支持具を示す分解斜視図である。
【０００３】
この雨樋支持具１００は、取付杆１０１とスライド可能に連結した樋支持具本体１０２と、上記樋支持具本体１０２と取付杆１０１を圧接固定させるための受座１０３を介在させた軸１０４を下方から貫通させて連結し、上記軸１０４の上端に縦方向へ回転するロックレバー１０５を枢着している。
【０００４】
上記取付杆１０１は、建造物の軒先等に固定される取付足板１１１の上端中央から前方に向けて足杆１２１を延設し、この足杆１２１の前方には、段落ち形成した連結片部１３１を形成し、この連結片部１３１には、上下に貫通する軸孔１３１ａを開設している。
【０００５】
上記樋支持具本体１０２は、取付杆１０１とスライド可能な板状のスライド板本体１１２の前後端に、樋を吊下げ支持するための前樋掛止部１２２及び後樋掛止部１３２を各々形成している。
【０００６】
また、上記スライド板本体１１２には、上記連結片部１３１の軸孔１３１ａと重合し、樋支持具本体１０２を前後にスライドさせるため直線状の長孔１１２ａを形成している。
【０００７】
さらに、上記スライド板本体１１２の下面には、巾方向に切溝を設け、この切溝を長手方向に複数形成した鋸刃部（不図示）を形成している。
【０００８】
上記受座１０３は、上方に開放した断面コ字状の薄板であって、上記スライド板本体１１２下面の鋸刃部（不図示）に噛合う爪部１１３を上面に形成すると共に、上記長孔１１２ａ及び連結片部１３１の軸孔１３１ａに重合する軸孔１２３を設けている。
【０００９】
上記軸１０４は、逆Ｔ状の板体であって、この下端は、上記受座１０３の軸孔１２３を貫通しない係止部１１４を設け、この係止部１１４から上方に貫通軸脚１２４を延設している。
【００１０】
この貫通軸脚１２４の上端近傍には、巾方向に貫通するピン孔１３４を開設している。
【００１１】
上記ロックレバー１０５は、これを縱方向に回転可能にするため、レバー部１１５の基端に回転基板１２５を形成したもので、この回転基板１２５には、上記軸１０４のピン孔１３４と重合する一対のピン軸孔１３５，１３５を対向して開設している。
【００１２】
このように形成した雨樋支持具１００は、上記軸１０４を、下方から上記受座１０３の軸孔１２３、樋支持具本体１０２の長孔１１２ａ及び取付杆１０１の軸孔１３１ａを貫通させ、そのピン孔１３４を上記ロックレバー１０５のピン軸孔１３５，１３５間に重合してピン１０６で枢着している。
【００１３】
そして、上記ロックレバー１０５のレバー部１１５を縱方向に回転すると、このロックレバー１０５は、上記軸１０４を上方に引っ張り上げることによって、上記受座１０３全体を引っ張り上げる。
【００１４】
そのため、上記受座１０３の爪部１１３が、樋支持具本体１０２下面の鋸刃部（不図示）に噛合する。
【００１５】
したがって、樋支持具本体１０２は、取付杆１０１に圧接固定され、そのスライドを固定できる。
【００１６】
なお、上記ロックレバー１０５は、例示にすぎず、軸１０４を引っ張り上げて樋支持具本体１０２を取付杆１０１に圧接固定できるものであれば同じである。
【００１７】
【発明が解決しようとする課題】
この雨樋支持具１００は、ロックレバー１０５を縱方向に回転し、上記樋支持具本体１０２を取付杆１０１の下面に圧接固定すると共に、受座１０３の爪部１１３を樋支持具本体１０２の鋸刃部（不図示）に噛合させて、樋支持具本体１０２のスライドを固定していた。
【００１８】
しかし、樋支持具本体１０２下面の鋸刃部（不図示）は、巾方向に切溝を設け、この切溝を長手方向に複数形成したもので、その切溝の深さは僅かである。
【００１９】
そのため、樋支持具本体１０２の長手方向に荷重がかかり過ぎると、受座１０３の爪部１１３との係合が外れ、スライドする恐れがある。
【００２０】
一方、この切溝を深く形成すれば、上記爪部１１３との係合力を増すことができるが、それでは樋支持具本体１０２の強度が弱まり、切溝で破断する恐れが生じる。
【００２１】
本発明は、かかる課題を解決することを目的とするもので、樋支持具本体の強度を維持しつつ、そのスライドをより確実に固定できる雨樋支持具を提供する。
【００２２】
【課題を解決するための手段】
上記目的を達成するため、
請求項１に係る雨樋支持具は、連結片部を備えた取付杆と、長孔を有し、上記取付杆の連結片部に上記長孔を重合させて上記取付杆の長手方向にスライド可能に連結した樋支持具本体と、この樋支持具本体を上記取付杆に圧接固定するための縱方向へ回転するロックレバーとを備えた雨樋支持具において、上記長孔は、長手方向の両側面が凸部と凹部が連続する波状とされるとともに、上記ロックレバーは、先端に下方に向けて延びる帯板状の係止部を備えた構造とされ、上記樋支持具本体を上記取付杆に圧接固定したときには、上記係止部の両側端が上記長孔の両側面の凹部に嵌まり込む構造としている。
【００２３】
請求項１では、ロックレバーを縦方向に回転してロック状態としたときに、このロックレバーの先端に設けた係止部が、樋支持具本体に形成した波状の長孔に係止する構造にしている。
【００２４】
そのため、上記係止部と長孔との係止力が、従来のスライド固定力に加わるので、樋支持具本体の強度を下げることなく、そのスライド固定を、より強固にできる。
【００２５】
請求項２に係る雨樋支持具は、請求項１において、上記ロックレバー先端の係止部は、さらにその下端を内方上向きに折返した抜け止め片部を備えている。
【００２６】
請求項２では、ロックレバーを縦方向に回転してロック状態としたときに、上記係止部が樋支持具本体に形成した波状の長孔に係止すると共に、さらに先端に設けた抜け止め片部が、この係止部の抜け止めを行なっている。
【００２７】
そのため、スライド固定された樋支持具本体は、その位置を確実に保持できる。
【００２８】
【発明の実施の形態】
以下、本発明に係る雨樋支持具Ａを図面に基づき説明する。
図１は、本発明に係る雨樋支持具の一実施例を示す斜視図、図２は、本発明に係る雨樋支持具の一実施例を示す分解斜視図である。
図中１は取付杆、２は樋支持具本体、３は受座、４は軸、５はロックレバーを各々示しており、以下、各部材について詳説する。
取付杆１は、建造物の軒先等に固定される取付足板１１の上端中央から前方に向けて足杆１２を延設し、この足杆１２の前方には、段落ち形成した連結片部１３を形成し、この連結片部１３には、上下に貫通する軸孔１３ａを開設している。
【００２９】
上記樋支持具本体２は、取付杆１とスライド可能な板状のスライド板本体２１の前後端に、樋を吊下げ支持するための前樋掛止部２２及び後樋掛止部２３を各々形成したものである。
【００３０】
また、上記スライド板本体２１には、上記連結片部１３の軸孔１３ａと重合し、樋支持具本体２を前後にスライドさせるための長孔２１ａを形成している。
【００３１】
この長孔２１ａは、長手方向に向けて、両側面が、凸部２１ｂと凹部２１ｃの連続する波状となっている。
【００３２】
さらに、上記スライド板本体２１の下面には、巾方向に切溝を設け、この切溝を長手方向に複数形成した鋸刃部（不図示）を形成している。
【００３３】
上記受座３は、上方に開放した断面コ字状の薄板であって、上記スライド板本体２１下面の鋸刃部（不図示）に噛合う爪部３１を上面に備えると共に、上記長孔２１ａ及び連結片部１３の軸孔１３ａに重合する軸孔３２を備えている。
【００３４】
上記軸４は、逆Ｔ状の板体であって、この下端には、上記受座３の軸孔３２を貫通しない係止部４１を備え、この係止部４１から上方に貫通軸脚４２が延設されている。
【００３５】
この貫通軸脚４２の上端近傍には、巾方向に貫通するピン孔４３を開設している。
【００３６】
上記ロックレバー５は、これを縱方向に回転可能にするため、レバー部５１の基端に回転基板５２を形成したもので、この回転基板５２には、上記軸４のピン孔４３と重合する一対のピン軸孔５３，５３を対向して開設している。
【００３７】
また、上記レバー部５１の先端には、下方に向けて帯板状の係止部５４を延設している。この係止部５４は、上記樋支持具本体２の長孔２１ａに形成した凹部２１ｃ，２１ｃに嵌り込む大きさに形成されている。
【００３８】
このように形成した雨樋支持具Ａは、上記軸４を、下方から上記受座３の軸孔３２，樋支持具本体２の長孔２１ａ及び取付杆１の軸孔１３ａを貫通させ、そのピン孔４３を上記ロックレバー５のピン軸孔５３，５３間に重合してピン６で枢着している。
【００３９】
そして、上記ロックレバー５のレバー部５１を後述する図４の図中矢印で示すように縱方向に回転すると、このロックレバー５は、上記軸４を上方に引っ張り上げることによって、上記受座３全体を引っ張り上げる。
【００４０】
そのため、上記受座３の爪部３１が、樋支持具本体２下面の鋸刃部（不図示）に噛合する。
【００４１】
したがって、樋支持具本体２は、取付杆１に圧接固定され、そのスライドを固定できる。
【００４２】
同時に、上記ロックレバー５の先端に形成した係止部５４は、このロック状態のときに、上記樋支持具本体２の長孔２１ａに形成した凹部２１ｃ，２１ｃに嵌り込んで、樋支持具本体２の長手方向へのスライドを固定する。
【００４３】
そのため、樋支持具本体２の強度を下げることなく、そのスライド固定を、より強固にできる。
【００４４】
なお、上記ロックレバー５は、例示にすぎず、軸４を引っ張り上げて樋支持具本体２を取付杆１に圧接固定できるものであれば同じである。
【００４５】
図３は、本発明に係る雨樋支持具の他の実施例を示す斜視図である。
【００４６】
この雨樋支持具Ａのロックレバー５先端の係止部５４は、さらにその下端を内方上向きに折返した抜け止め片部５４ａを備えている。
【００４７】
また、上記抜け止め片部５４ａは、上記ロックレバー５を縦方向に回転してロック状態としたときに、その折返し上端が樋支持具本体２の長孔２１ａを貫通する程度に形成されている。
【００４８】
この雨樋支持具Ａによれば、上記ロックレバー５を縦方向に回転してロック状態としたときに、上記係止部５４が樋支持具本体２の長孔２１ａに形成した凹部２１ｃ，２１ｃに嵌り込んで、樋支持具本体２の長手方向へのスライドを固定すると共に、その下端に設けた抜け止め片部５４ａが、長孔２１ａを貫通して係止部５４の抜け止めを行い、上記ロックレバー５の縦方向への反転を阻止できる。
【００４９】
図４は、本発明に係る雨樋支持具の施工説明図である。
【００５０】
図４（ａ）は、ロックレバーのアンロック位置での側面説明図、図４（ｂ）は、樋支持具本体のスライド状態を示す側面説明図、図４（ｃ）は、ロックレバーのロック位置での側面説明図である。
【００５１】
本発明に係る雨樋支持具Ａは、先ず、上記取付杆１を軒先等にネジ、釘等で固定する。
【００５２】
次に、上記ロックレバー５を縱方向に回転してアンロック状態にする「図４（ａ）参照」。
【００５３】
このアンロック状態では、上記樋支持具本体２は、図４（ａ），（ｂ）に示すように上記受座３の爪部３１は、樋支持具本体２下面の鋸刃部（不図示）に食い込んでいないので、樋支持具本体２を前後へ自由にスライドすることができ、所望の位置に、この樋支持具本体２を位置づけることができる「図４（ｂ）参照」。
【００５４】
なお、上記樋支持具本体２の側面に、スライド位置の目安となる数字などを刻設しておけば、他の雨樋支持具の樋支持具本体も簡単且つ確実に、同位置へ位置づけることができる。
【００５５】
そして、上記樋支持具本体２を所望の位置に位置づけた後、上記ロックレバー５を縱方向に回転すると、このロックレバー５が、上記軸４を引っ張り上げることによって、受座３全体を引っ張り上げる。
【００５６】
そのため、この受座３の爪部３１は、樋支持具本体２下面の鋸刃部（不図示）に食い込み、その位置で樋支持具本体２を取付杆１に圧接固定する。
【００５７】
これと同時に、上記樋支持具本体２の長孔２１ａに形成した凹部２１ｃ，２１ｃには、上記係止部５４が嵌り込んで、樋支持具本体２の長手方向へのスライドを確実に固定できる。
【００５８】
したがって、樋支持具本体２は、取付杆１に圧接固定され、受座３の爪部３１だけでなく、ロックレバー５の係止部５４によっても、そのスライドを確実に固定しスライドを不能にする「図４（ｃ）参照」。
【００５９】
このように位置決めして圧接固定された上記樋支持具本体２に、樋の前後端を、その前樋掛止部２２及び後樋掛止部２３へと順次掛止して、雨樋支持具Ａの施工を終了する。
【００６０】
【発明の効果】
本発明によれば、次のような効果がある。
【００６１】
請求項１に係る雨樋支持具によれば、ロックレバーを縦方向に回転してロック状態としたときに、このロックレバーの先端に設けた係止部が、樋支持具本体に形成した波状の長孔に係止する構造にしている。
【００６２】
そのため、上記係止部と長孔との係止力が、従来のスライド固定力に加わるので、樋支持具本体の強度を下げることなく、そのスライド固定を、より強固にできる。
【００６３】
請求項２に係る雨樋支持具によれば、ロックレバーを縦方向に回転してロック状態としたときに、上記係止部が樋支持具本体に形成した波状の長孔に係止すると共に、さらに先端に設けた抜け止め片部が、この係止部の抜け止めを行なっている。
【００６４】
そのため、スライド固定された樋支持具本体は、その位置を確実に保持できる。
【図面の簡単な説明】
【図１】本発明に係る雨樋支持具の一実施例を示す斜視図
【図２】本発明に係る雨樋支持具の一実施例を示す分解斜視図
【図３】本発明に係る雨樋支持具の他の実施例を示す斜視図
【図４】本発明に係る雨樋支持具の施工説明図
【図５】従来の雨樋支持具を示す分解斜視図
【符号の説明】
Ａ      雨樋支持具
１      取付杆
１３    連結片部
２      樋支持具本体
２１ａ  長孔
２１ｂ  凸部
２１ｃ  凹部
３      受座
４      軸
５      ロックレバー
５４    係止部
５４ａ  抜け止め片部
【図１】
0004431237.tif 000002
【図２】
0004431237.tif 000003
【図３】
0004431237.tif 000004
【図４】
0004431237.tif 000005
【図５】
0004431237.tif 000006